(57)【要約】      （修正有）【課題】間接的な水性印刷に使用するための濡れ特性が向上したインクを提供する。【解決手段】約０．１〜約１５重量％の量の１種類以上のラテックスと、約０〜約２重量％の量の１種類以上のアミンと、約０．５〜約８重量％の量の１種類以上の顔料とを含むプリンタ用インク。凝集物中に約１０〜約５０重量％の量で存在する４種類以上の溶媒を含み、更に、約０．００１〜約３重量％の量の１種類以上の界面活性剤を含むプリンタ用インク。【選択図】なし【特許請求の範囲】
【請求項１】
プリンタ用インクであって、
約０．１重量％〜約１５重量％の量の１種類以上のラテックスと、
約０重量％〜約２重量％の量の１種類以上のアミンと、
約０．５重量％〜約８重量％の量の１種類以上の顔料と、
凝集物中に約１０重量％〜約５０重量％の量で存在する４種類以上の溶媒と、
約０．００１重量％〜約３重量％の量の１種類以上の界面活性剤とを含む、プリンタ用インク。
【請求項２】
１種類以上のアミンは、モノエタノールアミン、ジエタノールアミン、トリエタノールアミン、およびこれらの組み合わせからなる群から選択される、請求項１に記載のインク。
【請求項３】
４種類以上の溶媒は、グリセロール、２−ピロリドン、１，５ペンタンジオール、１，３プロパンジオール、２−ブトキシエタノール、ジエチレングリコール、１，２ヘキサンジオール、水、１，２プロパンジオール、ブチルカルビトール、およびこれらの組み合わせからなる群から選択される、請求項１に記載のインク。
【請求項４】
約０．０１重量％〜約５重量％の量の消泡剤をさらに含み、消泡剤は、不溶性油、ポリジメチルシロキサン、シリコーン、長鎖脂肪族アルコール、脂肪酸石鹸およびエステル、シリコーングリコール、またはこれらの組み合わせからなる群から選択される、請求項１に記載のインク。
【請求項５】
４種類以上の溶媒は、合わせたとき、３２℃で約７５センチポイズ以下の粘度を有する、請求項１に記載のインク。
【請求項６】
インクは、３２℃での吐出粘度が約３センチポイズ〜約８センチポイズである、請求項１に記載のインク。
【請求項７】
インクは、表面張力が約１０ダイン／ｃｍ〜約４０ダイン／ｃｍであり、インク中の粒子が、約０．２０μｍ以下の断面長さを有する、請求項１に記載のインク。
【請求項８】
１種類以上のラテックスおよび１種類以上の顔料は、合わせたとき、インク中に約１５重量％以下の量で存在し、１種類以上のラテックスと１種類以上の顔料の比率が約０．２：１．０〜約２．０：１．０である、請求項１に記載のインク。
【請求項９】
約５．０ｎｇ〜約１０ｎｇの質量を有するインク液滴は、半結晶性ポリビニルアルコールポリマーでコーティングされた基材に印刷されたとき、１．１未満のドット真円度を維持しつつ、元々の液滴の直径の約２倍〜約４倍に広がるような構成である、請求項１に記載のインク。
【請求項１０】
プリンタ用インクであって、
約０．１重量％〜約１５重量％の量の１種類以上のラテックスと、
約０重量％〜約２重量％の量のモノエタノールアミン、ジエタノールアミン、トリエタノールアミン、およびこれらの組み合わせからなる群から選択される１種類以上のアミンと、
約０．５重量％〜約８重量％の量の１種類以上の顔料と、
凝集物中に約１０重量％〜約５０重量％の量で存在し、少なくとも１種類が、グリセロール、２−ピロリドン、１，５ペンタンジオール、１，３プロパンジオール、２−ブトキシエタノール、ジエチレングリコール、１，２ヘキサンジオール、水、１，２プロパンジオール、ブチルカルビトール、およびこれらの組み合わせからなる群から選択され、合わせたときに３２℃で約７５センチポイズ以下の粘度を有する４種類以上の溶媒と、
約０．０１重量％〜約５重量％の量の不溶性油、ポリジメチルシロキサン、シリコーン、長鎖脂肪族アルコール、脂肪酸石鹸およびエステル、シリコーングリコール、またはこれらの組み合わせからなる群から選択される消泡剤と、
約０．００１重量％〜約３重量％の量の１種類以上の界面活性剤とを含み、
このインクは、３２℃での吐出粘度が約３センチポイズ〜約８センチポイズであり、このインクは、表面張力が約１０ダイン／ｃｍ〜約４０ダイン／ｃｍであり、インク中の粒子が、約０．２０μｍ以下の断面長さを有する、プリンタ用インク。
【発明の詳細な説明】
【技術分野】
【０００１】
本教示は、プリンタ用インクに関し、さらに具体的には、間接的な印刷用途のための水性インクに関する。
【背景技術】
【０００２】
水性インクによる間接的な印刷では、中間転写体（典型的には、ブランケットと呼ばれる）に水性インクが吐出され、画像が媒体基材（例えば、紙シート）に転写固定される前に、ブランケットの上でインクが部分的に、または完全に乾燥する。転写固定を容易にし、長期間にわたる印刷信頼性を容易にするために、ブランケットを犠牲層でオーバーコーティングしてもよい。
【０００３】
インクは、水、溶媒、着色剤およびポリマーラテックスの混合物である。ポリマーラテックスは、ポリマー粒子の水性分散物を含んでいてもよい。ポリマーラテックスは、最低膜生成温度が約５５℃〜約１１０℃であり、ガラス転移温度が約４５℃〜約１００℃であってもよい。軟化点は、約４０℃〜約９５℃であってもよい。
【０００４】
犠牲層を使用する間接的な水性印刷に使用するための濡れ特性が向上したインクが必要とされている。
【発明の概要】
【発明が解決しようとする課題】
【０００５】
以下に、本教示の１つ以上の実施形態のいくつかの態様の基本的な理解を与えるために、単純化した概要を示す。この概要は、広範囲にわたる外観ではなく、本教示の鍵となる要素または必須の要素を特定することを意図するものでもなく、本開示の範囲の輪郭を描くことを意図するものでもない。むしろ、主な目的は、単に以下に示す詳細な記載の前置きとして、単純化した形態で１つ以上の概念を示すことである。
【課題を解決するための手段】
【０００６】
プリンタ用インクを開示する。インクは、約０．１重量％〜約１５重量％の量の１種類以上のラテックスと、約０重量％〜約２重量％の量の１種類以上のアミンと、約０．５重量％〜約８重量％の量の１種類以上の顔料とを含んでいてもよい。このインクは、さらに、凝集物中に約１０重量％〜約５０重量％の量で存在する４種類以上の溶媒を含んでいてもよい。このインクは、さらに、約０．００１重量％〜約３重量％の量の１種類以上の界面活性剤を含んでいてもよい。
【０００７】
別の実施形態において、インクは、約０．１重量％〜約１５重量％の量の１種類以上のラテックスを含んでいてもよい。このインクは、さらに、約０重量％〜約２重量％の量の１種類以上のアミンを含んでいてもよい。１種類以上のアミンは、モノエタノールアミン、ジエタノールアミン、トリエタノールアミン、およびこれらの組み合わせからなる群から選択されてもよい。このインクは、さらに、約０．５重量％〜約８重量％の量の１種類以上の顔料を含んでいてもよい。このインクは、さらに、凝集物中に約１０重量％〜約５０重量％の量で存在する４種類以上の溶媒を含んでいてもよい。４種類以上の溶媒の少なくとも１種類が、グリセロール、２−ピロリドン、１，５ペンタンジオール、１，３プロパンジオール、２−ブトキシエタノール、ジエチレングリコール、１，２ヘキサンジオール、水、１，２プロパンジオール、ブチルカルビトール、およびこれらの組み合わせからなる群から選択されてもよい。４種類以上の溶媒は、合わせたとき、３２℃での粘度が約７５センチポイズ以下であってもよい。このインクは、さらに、約０．０１重量％〜約５重量％の量の消泡剤を含んでいてもよい。消泡剤は、不溶性油、ポリジメチルシロキサン、シリコーン、長鎖脂肪族アルコール、脂肪酸石鹸およびエステル、シリコーングリコール、またはこれらの組み合わせからなる群から選択されていてもよい。このインクは、さらに、約０．００１重量％〜約３重量％の量の１種類以上の界面活性剤を含んでいてもよい。このインクは、３２℃での吐出粘度が約３センチポイズ〜約８センチポイズであってもよい。このインクは、表面張力が約１０ダイン／ｃｍ〜約４０ダイン／ｃｍであってもよい。インク中の粒子は、約０．２０μｍ以下の断面長さを有していてもよい。
【０００８】
プリンタ用インクを製造するための方法も開示する。この方法は、ラテックス、アミンおよび水を混合して第１の混合物を作製することを含んでいてもよい。第１の混合物を約１００ＲＰＭ〜約５００ＲＰＭで約３０秒〜約３０分攪拌してもよい。顔料を第１の混合物と混合し、第２の混合物を作製してもよい。第２の混合物を約１００ＲＰＭ〜約５００ＲＰＭで約３０秒〜約３０分攪拌してもよい。４種類以上の溶媒を第２の混合物と混合し、第３の混合物を作製してもよい。
【０００９】
添付の図面は、本明細書に組み込まれ、本明細書の一部を構成し、本教示の実施形態を説明し、本記載とともに本教示の原理を説明するのに役立つ。
【図面の簡単な説明】
【００１０】
【図１】図１は、開示する１つ以上の実施形態のインクを作製するための具体的な方法のフローチャートを示す。
【発明を実施するための形態】
【００１１】
図面のいくつかの詳細は単純化されており、厳格な構造的な正確性、詳細および縮尺を維持するのではなく、本教示の理解を促進するために描かれていることを注記すべきである。
【００１２】
本教示の例示的な実施形態について詳細に参照し、その例を添付の図面に示す。可能な限り、図面全体で同一、類似または同様の要素を示すために同じ参照番号を使用する。
【００１３】
本明細書で使用する場合、別段の定めがない限り、「プリンタ」という用語は、任意の目的のための印刷出力機能を発揮する任意の装置、例えば、デジタル複写機またはプリンタ、製本機、ファクシミリ機、多機能機などを包含する。図面に示される構造は、単純化のために示されていないさらなる特徴を含んでいてもよく、一方、示されている構造を除いてもよく、または変えてもよいことが理解され得る。
【００１４】
図１は、開示する１つ以上の実施形態のインクを作製するための具体的な方法のフローチャート１００を示す。方法１００は、１０２に示すように、ラテックス、水およびアミンを合わせ、第１の混合物を作製することを含んでいてもよい。
【００１５】
ラテックスは、天然または合成であってもよく、水性媒体中のモノマーまたはポリマー微粒子の安定な分散物（例えば、エマルション）であってもよい。インクに使用するためのラテックスを調製するのに適した任意のモノマーを利用してもよい。ラテックスポリマーエマルションを作製し、したがって、ラテックスエマルション中で得られるラテックス粒子を作製するのに有用な適切なモノマーとしては、限定されないが、スチレン、アクリレート、メタクリレート、ブタジエン、イソプレン、アクリル酸、メタクリル酸、アクリロニトリル、これらの組み合わせなどを挙げることができる。
【００１６】
ラテックスは、少なくとも１種類のポリマーも含んでいてもよい。ポリマーの数は、１〜２０、２〜１５または３〜１０の範囲であってもよい。適切なポリマーとしては、スチレンアクリレート、スチレンブタジエン、スチレンメタクリレート、さらに具体的には、ポリ（スチレン−アクリル酸アルキル）、ポリ（スチレン−１，３−ジエン）、ポリ（スチレン−メタクリル酸アルキル）、ポリ（スチレン−アクリル酸アルキル−アクリル酸）、ポリ（スチレン−１，３−ジエン−アクリル酸）、ポリ（スチレン−メタクリル酸アルキル−アクリル酸）、ポリ（メタクリル酸アルキル−アクリル酸アルキル）、ポリ（メタクリル酸アルキル−アクリル酸アリール）、ポリ（メタクリル酸アリール−アクリル酸アルキル）、ポリ（メタクリル酸アルキル−アクリル酸）、ポリ（スチレン−アクリル酸アルキル−アクリロニトリル−アクリル酸）、ポリ（スチレン−１，３−ジエン−アクリロニトリル−アクリル酸）、ポリ（アクリル酸アルキル−アクリロニトリル−アクリル酸）、ポリ（スチレン−ブタジエン）、ポリ（メチルスチレン−ブタジエン）、ポリ（メタクリル酸メチル−ブタジエン）、ポリ（メタクリル酸エチル−ブタジエン）、ポリ（メタクリル酸プロピル−ブタジエン）、ポリ（メタクリル酸ブチル−ブタジエン）、ポリ（アクリル酸メチル−ブタジエン）、ポリ（アクリル酸エチル−ブタジエン）、ポリ（アクリル酸プロピル−ブタジエン）、ポリ（アクリル酸ブチル−ブタジエン）、ポリ（スチレン−イソプレン）、ポリ（メチルスチレン−イソプレン）、ポリ（メタクリル酸メチル−イソプレン）、ポリ（メタクリル酸エチル−イソプレン）、ポリ（メタクリル酸プロピル−イソプレン）、ポリ（メタクリル酸ブチル−イソプレン）、ポリ（アクリル酸メチル−イソプレン）、ポリ（アクリル酸エチル−イソプレン）、ポリ（アクリル酸プロピル−イソプレン）、ポリ（アクリル酸ブチル−イソプレン）、ポリ（スチレン−アクリル酸プロピル）、ポリ（スチレン−アクリル酸ブチル）、ポリ（スチレン−ブタジエン−アクリル酸）、ポリ（スチレン−ブタジエン−メタクリル酸）、ポリ（スチレン−ブタジエン−アクリロニトリル−アクリル酸）、ポリ（スチレン−アクリル酸ブチル−アクリル酸）、ポリ（スチレン−アクリル酸ブチル−メタクリル酸）、ポリ（スチレン−アクリル酸ブチル−アクリロニトリル）、ポリ（スチレン−アクリル酸ブチル−アクリロニトリル−アクリル酸）、ポリ（スチレン−ブタジエン）、ポリ（スチレン−イソプレン）、ポリ（スチレン−メタクリル酸ブチル）、ポリ（スチレン−アクリル酸ブチル−アクリル酸）、ポリ（スチレン−メタクリル酸ブチル−アクリル酸）、ポリ（メタクリル酸ブチル−アクリル酸ブチル）、ポリ（メタクリル酸ブチル−アクリル酸）、ポリ（アクリロニトリル−アクリル酸ブチル−アクリル酸）、およびこれらの組み合わせを挙げることができる。ポリマーは、ブロックコポリマー、ランダムコポリマーまたは交互コポリマーであってもよい。
【００１７】
アミンは、モノエタノールアミン、ジエタノールアミン、トリエタノールアミン（「ＴＥＡ」）、またはこれらの組み合わせであってもよく、またはこれらを含んでいてもよい。
【００１８】
合わせたら、第１の混合物を、約１００ＲＰＭ〜約１０００ＲＰＭ、約１００ＲＰＭ〜約５００ＲＰＭ、または約２００ＲＰＭ〜約４００ＲＰＭで混合または攪拌してもよい。第１の混合物を、約３０秒〜約３０分、約１分〜約２０分、約１分〜約１０分、またはこれより長く混合または攪拌してもよい。
【００１９】
１０４に示すように、第１の混合物に１種類以上の顔料を加え（例えば、攪拌しつつ）、第２の混合物を作製してもよい。具体的な実施形態において、顔料または着色剤は、マゼンタ顔料、シアン顔料、イエロー顔料、ブラック顔料、またはこれらの混合物または組み合わせであってもよく、またはこれらを含んでいてもよい。適切な顔料の例としては、ＰＡＬＩＯＧＥＮ（登録商標）Ｖｉｏｌｅｔ  ５１００（ＢＡＳＦ）；ＰＡＬＩＯＧＥＮ（登録商標）Ｖｉｏｌｅｔ  ５８９０（ＢＡＳＦ）；ＨＥＬＩＯＧＥＮ（登録商標）Ｇｒｅｅｎ  Ｌ８７３０（ＢＡＳＦ）；ＬＩＴＨＯＬ（登録商標）Ｓｃａｒｌｅｔ  Ｄ３７００（ＢＡＳＦ）；ＳＵＮＦＡＳＴ（登録商標）Ｂｌｕｅ  １５：４（Ｓｕｎ  Ｃｈｅｍｉｃａｌ）；ＨＯＳＴＡＰＥＲＭ（登録商標）Ｂｌｕｅ  Ｂ２Ｇ−Ｄ（Ｃｌａｒｉａｎｔ）；ＨＯＳＴＡＰＥＲＭ（登録商標）Ｂｌｕｅ  Ｂ４Ｇ（Ｃｌａｒｉａｎｔ）；ＳＰＥＣＴＲＡ（登録商標）ＰＡＣ  Ｃ  Ｂｌｕｅ  １５：４（Ｓｕｎ  Ｃｈｅｍｉｃａｌ）；Ｐｅｒｍａｎｅｎｔ  Ｒｅｄ  Ｐ−Ｆ７ＲＫ；ＨＯＳＴＡＰＥＲＭ（登録商標）Ｖｉｏｌｅｔ  ＢＬ（Ｃｌａｒｉａｎｔ）；ＬＩＴＨＯＬ（登録商標）Ｓｃａｒｌｅｔ  ４４４０（ＢＡＳＦ）；Ｂｏｎ  Ｒｅｄ  Ｃ（Ｄｏｍｉｎｉｏｎ  Ｃｏｌｏｒ  Ｃｏｍｐａｎｙ）；ＯＲＡＣＥＴ（登録商標）Ｐｉｎｋ  ＲＦ（ＢＡＳＦ）；ＰＡＬＩＯＧＥＮ（登録商標）Ｒｅｄ  ３８７１  Ｋ（ＢＡＳＦ）；ＳＵＮＦＡＳＴ（登録商標）Ｂｌｕｅ  １５：３（Ｓｕｎ  Ｃｈｅｍｉｃａｌ）；ＰＡＬＩＯＧＥＮ（登録商標）Ｒｅｄ  ３３４０（ＢＡＳＦ）；ＳＵＮＦＡＳＴ（登録商標）Ｃａｒｂａｚｏｌｅ  Ｖｉｏｌｅｔ  ２３（Ｓｕｎ  Ｃｈｅｍｉｃａｌ）；ＬＩＴＨＯＬ（登録商標）Ｆａｓｔ  Ｓｃａｒｌｅｔ  Ｌ４３００（ＢＡＳＦ）；ＳＵＮＢＲＩＴＥ（登録商標）Ｙｅｌｌｏｗ  １７（Ｓｕｎ  Ｃｈｅｍｉｃａｌ）；ＨＥＬＩＯＧＥＮ（登録商標）Ｂｌｕｅ  Ｌ６９００、Ｌ７０２０（ＢＡＳＦ）；ＳＵＮＢＲＩＴＥ（登録商標）Ｙｅｌｌｏｗ  ７４（Ｓｕｎ  Ｃｈｅｍｉｃａｌ）；ＳＰＥＣＴＲＡ（登録商標）ＰＡＣ  Ｃ  Ｏｒａｎｇｅ  １６（Ｓｕｎ  Ｃｈｅｍｉｃａｌ）；ＨＥＬＩＯＧＥＮ（登録商標）Ｂｌｕｅ  Ｋ６９０２、Ｋ６９１０（ＢＡＳＦ）；ＳＵＮＦＡＳＴ（登録商標）Ｍａｇｅｎｔａ  １２２（Ｓｕｎ  Ｃｈｅｍｉｃａｌ）；ＨＥＬＩＯＧＥＮ（登録商標）Ｂｌｕｅ  Ｄ６８４０、Ｄ７０８０（ＢＡＳＦ）；Ｓｕｄａｎ  Ｂｌｕｅ  ＯＳ（ＢＡＳＦ）；ＮＥＯＰＥＮ（登録商標）  Ｂｌｕｅ  ＦＦ４０１２（ＢＡＳＦ）；ＰＶ  Ｆａｓｔ  Ｂｌｕｅ  Ｂ２ＧＯ１（Ｃｌａｒｉａｎｔ）；ＩＲＧＡＬＩＴＥ（登録商標）Ｂｌｕｅ  ＧＬＯ（ＢＡＳＦ）；ＰＡＬＩＯＧＥＮ（登録商標）Ｂｌｕｅ  ６４７０（ＢＡＳＦ）；Ｓｕｄａｎ  Ｏｒａｎｇｅ  Ｇ（Ａｌｄｒｉｃｈ）；Ｓｕｄａｎ  Ｏｒａｎｇｅ  ２２０（ＢＡＳＦ）；ＰＡＬＩＯＧＥＮ（登録商標）Ｏｒａｎｇｅ  ３０４０（ＢＡＳＦ）；ＰＡＬＩＯＧＥＮ（登録商標）Ｙｅｌｌｏｗ  １５２、１５６０（ＢＡＳＦ）；ＬＩＴＨＯＬ（登録商標）Ｆａｓｔ  Ｙｅｌｌｏｗ  ０９９１  Ｋ（ＢＡＳＦ）；ＰＡＬＩＯＴＯＬ（登録商標）  Ｙｅｌｌｏｗ  １８４０（ＢＡＳＦ）；ＮＯＶＯＰＥＲＭ（登録商標）Ｙｅｌｌｏｗ  ＦＧＬ（Ｃｌａ��ｉａｎｔ）；Ｉｎｋ  Ｊｅｔ  Ｙｅｌｌｏｗ  ４Ｇ  ＶＰ２５３２（Ｃｌａｒｉａｎｔ）；Ｔｏｎｅｒ  Ｙｅｌｌｏｗ  ＨＧ（Ｃｌａｒｉａｎｔ）；ＬＵＭＯＧＥＮ（登録商標）Ｙｅｌｌｏｗ  Ｄ０７９０（ＢＡＳＦ）；Ｓｕｃｏ−Ｙｅｌｌｏｗ  Ｌ１２５０（ＢＡＳＦ）；Ｓｕｃｏ−Ｙｅｌｌｏｗ  Ｄ１３５５（ＢＡＳＦ）；Ｓｕｃｏ  Ｆａｓｔ  Ｙｅｌｌｏｗ  Ｄ１３５５、Ｄ１３５１（ＢＡＳＦ）；ＨＯＳＴＡＰＥＲＭ（登録商標）Ｐｉｎｋ  Ｅ  ０２（Ｃｌａｒｉａｎｔ）；Ｈａｎｓａ  Ｂｒｉｌｌｉａｎｔ  Ｙｅｌｌｏｗ  ５ＧＸ０３（Ｃｌａｒｉａｎｔ）；Ｐｅｒｍａｎｅｎｔ  Ｙｅｌｌｏｗ  ＧＲＬ  ０２（Ｃｌａｒｉａｎｔ）；Ｐｅｒｍａｎｅｎｔ  Ｒｕｂｉｎｅ  Ｌ６Ｂ  ０５（Ｃｌａｒｉａｎｔ）；ＦＡＮＡＬ（登録商標）Ｐｉｎｋ  Ｄ４８３０（ＢＡＳＦ）；ＣＩＮＱＵＡＳＩＡ（登録商標）Ｍａｇｅｎｔａ（ＤＵ  ＰＯＮＴ）；ＰＡＬＩＯＧＥＮ（登録商標）Ｂｌａｃｋ  Ｌ００８４（ＢＡＳＦ）；Ｐｉｇｍｅｎｔ  Ｂｌａｃｋ  Ｋ８０１（ＢＡＳＦ）；およびカーボンブラック、例えば、ＲＥＧＡＬ（登録商標）３３０（Ｃａｂｏｔ）、Ｎｉｐｅｘ  １５０（Ｅｖｏｎｉｋ）Ｃａｒｂｏｎ  Ｂｌａｃｋ  ５２５０およびＣａｒｂｏｎ  Ｂｌａｃｋ  ５７５０（Ｃｏｌｕｍｂｉａ  Ｃｈｅｍｉｃａｌ）など、およびこれらの混合物を挙げることができる。顔料は、水分散物の形態であってもよい。少なくとも１つの実施形態において、顔料は、顔料が樹脂またはポリマー分散剤でコーティングされた自己分散型であってもよい。共鳴した顔料は、Ｓｕｎ  Ｃｈｅｍｉｃａｌｓによって販売されたＭＣＣ−０５９−ＳＪ、ＭＣＭ−０５９−ＳＪ、ＭＣＹ−０５９−ＳＪ、および／またはＭＣＢｋ−０５９−ＳＪであってもよく、またはこれらを含んでいてもよい（約１４〜１５重量％顔料）が、理解されるように、これらの顔料は、単に例示であってもよく、限定するものとは意図されない。顔料粒子の断面の長さ（例えば、平均直径）は、約２００ｎｍ以下、約１５０ｎｍ以下、または約１００ｎｍ以下であってもよい。
【００２０】
顔料を加えたら、第２の混合物を、約１００ＲＰＭ〜約１０００ＲＰＭ、約１００ＲＰＭ〜約５００ＲＰＭ、または約２００ＲＰＭ〜約４００ＲＰＭで混合または攪拌してもよい。第２の混合物を、約３０秒〜約３０分、約１分〜約２０分、約１分〜約１０分、またはこれより長く混合または攪拌してもよい。
【００２１】
１０６に示すように、次いで、１種類以上の溶媒を第２の混合物に加え、第３の混合物を作製してもよい。溶媒の数は、１種類、２種類、３種類、４種類、５種類、６種類またはこれより多くてもよい。例えば、第３の混合物は、４種類以上の溶媒を含んでいてもよい。第４の溶媒は、種々の表面または基材のためのインク設計の最適化（例えば、濡れ性の向上）を可能にし得るさらなる自由度を加えてもよい。「向上した濡れ性」という用語は、本明細書で使用する場合、インクに衝突すると、基材の初期の濡れ性が向上し、印刷プロセス中に基材の上で達成可能なインクの最大広がりが増えることを指す。最大広がりは、液滴の大きさおよび液滴の速度によっても変わり得る。
【００２２】
第４の溶媒は、高い転写量、良好な吐出性（すなわち、アイドリング時のノズルの遮蔽または乾燥が最低限か、またはまったくなく、または液滴の良好な有向性）を可能にし、良好なインク安定性、ラテックスまたは顔料の凝集および沈降が最低限か、またはまったくなく、溶媒混合物にさらされたときにラテックス粒子の膨潤が最低限か、またはまったく起こらなくすることができる。
【００２３】
溶媒（または溶媒の組み合わせ）は、改良されたラテックスインクジェットインク性能を与える。溶媒を使用し、着色剤、顔料または染料の安定性を確保し、ラテックス粒子の優先的な膨潤によってラテックス／インクの膜生成特徴を制御しやすくし、種々の基材に対するインクの濡れ特徴を制御しやすくしてもよく、溶媒ブレンドの選択は、乾燥特性、レオロジー特性、吐出特性、印刷ヘッドインクチャネル中の流動特性、間接的な印刷プロセスのためのインク転写に影響を与える。
【００２４】
溶媒は、アルコールおよびアルコール誘導体を含んでいてもよく、アルコールおよびアルコール誘導体としては、例えば、脂肪族アルコール、芳香族アルコール、ジアール、グリコールエーテル、ポリグリコールエーテル、長鎖アルコール、一級脂肪族アルコール、二級脂肪族アルコール、１，２−アルコール、１，３−アルコール、１，５−アルコール、エチレングリコールアルキルエーテル、プロピレングリコールアルキルエーテル、メトキシル化グリセロール、エトキシル化グリセロール、ポリエチレングリコールアルキルエーテルの高級同族体などが挙げられ、具体例として、エチレングリコール、プロピレングリコール、ジエチレングリコール、グリセリン、ジプロピレングリコール、ポリエチレングリコール、ポリプロピレングリコール、トリメチロールプロパン、１，５−ペンタンジオール、２−メチル−１，３−プロパンジオール、２−エチル−２−ヒドロキシメチル−１，３−プロパンジオール、３−メトキシブタノール、３−メチル−１，５−ペンタンジオール、１，３−プロパンジオール、１，４−ブタンジオール、２，４−ヘプタンジオールが挙げられ、さらに適切なのは、アミド、エーテル、尿素、置換尿素、例えば、チオ尿素、エチレン尿素、アルキル尿素、アルキルチオ尿素、ジアルキル尿素およびジアルキルチオ尿素、カルボン酸およびこれらの塩、例えば、２−メチルペンタン酸、２−エチル−３−プロピルアクリル酸、２−エチル−ヘキサン酸、３−エトキシプロピオン酸など、エステル、有機スルフィド、有機スルホキシド、スルホン（例えば、スルホラン）、カルビトール、ブチルカルビトール、セロソルブ、エーテル、トリプロピレングリコールモノメチルエーテル、エーテル誘導体、ヒドロキシエーテル、アミノアルコール、ケトン、Ｎ−メチルピロリジノン、２−ピロリジノン、シクロヘキシルピロリドン、アミド、スルホキシド、ラクトン、高分子電解質、メチルスルホニルエタノール、イミダゾール、１，３−ジメチル−２−イミダゾリジノン、ベタイン、糖類、例えば、１−デオキシ−Ｄ−ガラクチトール、マンニトール、イノシトールなど、置換および非置換のホルムアミド、置換および非置換のアセトアミド、および他の水溶性または水混和性の材料、およびこれらの混合物である。
【００２５】
水と、水溶性または水混和性の有機液体との混合物が液体媒剤として選択される場合、水と有機物の比率は、任意の適切な比率または望ましい比率であってもよい。例えば、この比率は、約９７：３〜約３０：７０、約９５：５〜約４０：６０、または約９０：１０〜約５１：４９であってもよい。液体媒剤の非水性成分は、沸点は水の沸点（すなわち、１００℃）より高い保水剤として働いてもよく、または、７０℃程度の低い沸点を有する共溶媒として働いてもよい。インク媒剤の有機成分は、インクの表面張力を変え、インクの粘度を変え、ラテックスを膨潤させ、および／または着色剤を分散させ、および／またはインクの乾燥特徴に影響を与えるのに役立たせることができる。少なくとも１つの実施形態において、共溶媒は、スルホラン、メチルエチルケトン、イソプロパノール、２−ピロリジノン、ポリエチレングリコール、またはこれらの混合物であってもよい。
【００２６】
液体媒剤の合計量は、任意の適切な量または望ましい量で与えられてもよい。少なくとも１つの実施形態において、液体媒剤は、インク組成物中、インク組成物の合計重量を基準として、約５５重量％〜約９７重量％、または約６０重量％〜約９０重量％、または約６５重量％〜約９０重量％の量で存在していてもよい。
【００２７】
少なくとも１つの実施形態において、溶媒は、グリセロール、２−ピロリドン、１，５ペンタンジオール、１，３プロパンジオール、２−ブトキシエタノール、ジエチレングリコール、１，２ヘキサンジオール、水、１，２プロパンジオール、ブチルカルビトール、Ｌｉｐｏｎｉｃ（登録商標）ＥＧ−１、グリセリンのエトキシレート、またはこれらの組み合わせであってもよく、またはこれらを含んでいてもよい。
【００２８】
これらの具体的な溶媒の特性（３２℃での）を以下の表１に示す。
【表１】
2015209547.tif 000002
【００２９】
ＶＢＮは、粘度ブレンド数（Ｖｉｓｃｏｓｉｔｙ  Ｂｌｅｎｄｉｎｇ  Ｎｕｍｂｅｒ（ＶＢＮ））であると定義される。２種類以上の液体のブレンドの粘度は、Ｒｅｆｕｔａｓ式を用いて概算することができる。Ｍａｐｌｓｅｓ、Ｒｏｂｅｒｔ  Ｅ．、Ｐｅｔｒｏｌｅｕｍ  Ｒｅｆｉｎｅｒｙ  Ｐｒｏｃｅｓｓ  Ｅｃｏｎｏｍｉｃ（第２版）、Ｐｅｎｎｗｅｌｌ  Ｂｏｏｋｓ、２０００を参照。
【００３０】
第１の工程は、ブレンドの各成分の粘度ブレンド数（ＶＢＮ）（粘度ブレンド指数（Ｖｉｓｃｏｓｉｔｙ  Ｂｌｅｎｄｉｎｇ  Ｉｎｄｅｘ）とも呼ばれる）を計算することである。
【数１】
2015209547.tif 000003
式中、νは、センチストークス（ｃＳｔ）単位での動的粘度である。ブレンドの各成分の動的粘度を同じ温度で得てもよい。
【００３１】
次の工程は、以下の式（２）を用い、ブレンドのＶＢＮを計算することである。
【数２】
2015209547.tif 000004
式中、ｘｘは、ブレンドの各成分の質量分率である。
【００３２】
ブレンドの粘度ブレンド数を式（２）を用いて計算したら、ブレンドの動的粘度をνについて式（１）を解くことによって決定してもよい。
【数３】
2015209547.tif 000005
式中、ＶＢＮＢｌｅｎｄは、ブレンドの粘度ブレンド数である。
【００３３】
４種類以上の溶媒を含む場合には、溶媒のセットは、３２℃で約１００センチポイズ（「ｃＰ」）以下、３２℃で約７５ｃＰ以下、または３２℃で約５０ｃＰ以下であってもよい粘度を有する。印刷ヘッド／プリンタがアイドリング状態の時、インクジェット印刷ヘッドノズルからの水の蒸発の結果として起こる粘性の栓の構築を最低限にするために、このような条件が好ましいと考えられる。３２℃での溶媒セットの粘度は、前面を濡らすことなく良好で安定な高頻度の吐出を有するピエゾインクジェット印刷の配合物を可能にするように、約１０ｃＰ以上であってもよい。同じ濃度を構成する溶媒混合物の代わりに、インク中で高濃度または高重量％のたった１種類の溶媒を選択する場合、ブランケットに悪い影響（例えば、膨潤）およびインクの安定性および吐出能に悪い影響を有する場合がある。本明細書に記載するインクは、印刷ヘッドが２ヶ月間アイドリング状態に維持された後であっても、吐出の問題がなく、印刷ヘッド中で長期間にわたって優れた安定性を有することがわかった。
【００３４】
溶媒を加えたら、第３の混合物を、約１００ＲＰＭ〜約１０００ＲＰＭ、約２００ＲＰＭ〜約８００ＲＰＭ、または約４００ＲＰＭ〜約６００ＲＰＭで混合または攪拌してもよい。第３の混合物を、約１５秒〜約３０分、約３０秒〜約１０分、または約３０秒〜約５分混合または攪拌してもよい。
【００３５】
１０８に示すように、１つ以上の消泡性添加剤を第３の混合物に加え、第４の混合物を作製してもよい。消泡性添加剤は、インク処理中の泡の生成を減らすか、または妨害してもよい。消泡性添加剤は、不溶性油、ポリジメチルシロキサン、他のシリコーン、アルコール、ステアレート、グリコール、またはこれらの組み合わせであってもよく、またはこれらを含んでいてもよい。
【００３６】
消泡性添加剤を加えたら、第４の混合物を、約１００ＲＰＭ〜約１０００ＲＰＭ、約２００ＲＰＭ〜約８００ＲＰＭ、または約４００ＲＰＭ〜約６００ＲＰＭで混合または攪拌してもよい。第４の混合物を、約１５秒〜約３０分、約３０秒〜約１０分、または約３０秒〜約５分混合または攪拌してもよい。
【００３７】
１１０に示すように、１種類以上の界面活性剤を第３の混合物または第４の混合物に加え、第５の混合物を作製してもよい。界面活性剤は、第５の混合物中の２種類以上の化合物（例えば、液体または固体）の間の界面張力を下げてもよい。界面活性剤は、ＳＵＲＦＹＮＯＬ（登録商標）１０４Ｈ、ＣＨＥＭＧＵＡＲＤ（登録商標）Ｓ−７６１Ｐ、またはこれらの組み合わせであってもよく、またはこれらを含んでいてもよい。ＣＨＥＭＧＵＡＲＤ（登録商標）Ｓ−７６１Ｐは、リン酸エステル型の短鎖ペルフルオロ系アニオン性フルオロ界面活性剤である。この界面活性剤は、水中で、非常に低い濃度で１６ダイン／ｃｍ程度の低い表面張力を与えることができる。この界面活性剤は、優れた動的表面張力特性も有し、低い平衡状態の表面張力をすばやく与えることができる。ＣＨＥＭＧＵＡＲＤ（登録商標）Ｓ−７６１Ｐは、さまざまな種類の建築用塗料および着色剤のための水系コーティング、コンクリートコーティング、産業用コーティングおよび水性炭化水素界面活性剤溶液に対し、優れた濡れ性、広がり性、レベリング性および流動制御性を付与することができる。ＣＨＥＭＧＵＡＲＤ（登録商標）Ｓ−７６１Ｐは、低気泡性であってもよく、室外用塗料および室内用低光沢塗料、シーラーおよび着色剤に優れた耐吸塵性を与えることができる。
【００３８】
ＳＵＲＦＹＮＯＬ（登録商標）１０４Ｈは、濡れ性、消泡性を含む利点と、顔料分散物を改良するという利点をあわせもつ非イオン系界面活性剤である。その固有の化学構造は、例えば、表面張力の低下、気泡制御および粘度の安定化といった多機能の特性を与える。ＳＵＲＦＹＮＯＬ（登録商標）１０４Ｈは、有効成分７５％のエチレングリコール液である。ＳＵＲＦＹＮＯＬ（登録商標）１０４Ｈは、例えば、コーティング、塗料、接着剤、インク、顔料製造および分散物、セメント、金属作業の潤滑剤、農業用化学物質および染料の処理といった多くの水を生じる用途で性能の利点を与えることができる。
【００３９】
他の適切な界面活性剤としては、イオン系界面活性剤、アニオン系界面活性剤、カチオン系界面活性剤、非イオン系界面活性剤、双性イオン系界面活性剤など、およびこれらの混合物を挙げることができる。適切な界面活性剤としては、アルキルポリエチレンオキシド、アルキルフェニルポリエチレンオキシド、ポリエチレンオキシドブロックコポリマー、アセチレン系ポリエチレンオキシド、ポリエチレンオキシド（ジ）エステル、ポリエチレンオキシドアミン、プロトン化ポリエチレンオキシドアミン、プロトン化ポリエチレンオキシドアミド、ジメチコーンコポリオール、置換アミンオキシドなども挙げられ、具体例としては、一級、二級、三級アミンの塩化合物、例えば、ラウリルアミン、ココナツアミン、ステアリルアミン、ロジンアミンの塩酸塩、酢酸塩；四級アンモニウム塩型化合物、例えば、ラウリルトリメチルアンモニウムクロリド、セチルトリメチルアンモニウムクロリド、ベンジルトリブチルアンモニウムクロリド、ベンザルコニウムクロリドなど；ピリジニウム塩型化合物、例えば、セチルピリジニウムクロリド、セチルピリジニウムブロミドなど；非イオン系界面活性剤、例えば、ポリオキシエチレンアルキルエーテル、ポリオキシエチレンアルキルエステル、アセチレンアルコール、アセチレングリコール；他の界面活性剤、例えば、２−ヘプタデセニル−ヒドロキシエチルイミダゾリン、ジヒドロキシエチルステアリルアミン、ステアリルジメチルベタイン、ラウリルジヒドロキシエチルベタイン；フルオロ界面活性剤など、およびこれらの混合物が挙げられる。
【００４０】
非イオン系界面活性剤のさらなる例としては、ポリアクリル酸、メタロース、メチルセルロース、エチルセルロース、プロピルセルロース、ヒドロキシエチルセルロース、カルボキシメチルセルロース、ポリオキシエチレンセチルエーテル、ポリオキシエチレンラウリルエーテル、ポリオキシエチレンオクチルエーテル、ポリオキシエチレンオクチルフェニルエーテル、ポリオキシエチレンオレイルエーテル、ポリオキシエチレンソルビタンモノラウレート、ポリオキシエチレンステアリルエーテル、ポリオキシエチレンノニルフェニルエーテル、ジアルキルフェノキシポリ（エチレンオキシ）エタノール、Ｒｈｏｎｅ−Ｐｏｕｌｅｎｃから入手可能なＩＧＥＰＡＬ（登録商標）ＣＡ−２１０、ＩＧＥＰＡＬ（登録商標）ＣＡ−５２０、ＩＧＥＰＡＬ（登録商標）ＣＡ−７２０、ＩＧＥＰＡＬ（登録商標）ＣＯ−８９０、ＩＧＥＰＡＬ（登録商標）Ｃ０−７２０、ＩＧＥＰＡＬ（登録商標）Ｃ０−２９０、ＩＧＥＰＡＬ（登録商標）ＣＡ−２１Ｏ、ＡＮＴＡＲＯＸ（登録商標）８９０、ＡＮＴＡＲＯＸ（登録商標）８９７が挙げられる。適切な非イオン系界面活性剤の他の例としては、ポリエチレンオキシドとポリプロピレンオキシドのブロックコポリマーが挙げられ、ＳＹＮＰＥＲＯＮＩＣ（登録商標）ＰＥ／Ｆ、例えば、ＳＹＮＰＥＲＯＮＩＣ（登録商標）ＰＥ／Ｆ  １０８として市販されるものを挙げることができる。
【００４１】
適切なアニオン系界面活性剤としては、サルフェートおよびスルホネート、ドデシル硫酸ナトリウム（ＳＤＳ）、ドデシルベンゼンスルホン酸ナトリウム、ドデシルナフタレン硫酸ナトリウム、ジアルキルベンゼンアルキルサルフェートおよびスルホネート、酸、例えば、Ｓｉｇｍａ−Ａｌｄｒｉｃｈから入手可能なアビエチン酸、第一工業製薬株式会社から入手可能なＮＥＯＧＥＮ（登録商標）Ｒ、ＮＥＯＧＥＮ（登録商標）ＳＣ、これらの組み合わせなどが挙げられる。適切なアニオン系界面活性剤としては、Ｄｏｗ  Ｃｈｅｍｉｃａｌ  Ｃｏｍｐａｎｙ製のアルキルジフェニルオキシドジスルホネートＤＯＷＦＡＸ（登録商標）２Ａ１、および／またはＴａｙｃａ  Ｃｏｒｐｏｒａｔｉｏｎ（日本）製の分枝鎖ナトリウムドデシルベンゼンスルホネートＴＡＹＣＡ  ＰＯＷＥＲ  ＢＮ２０６０も挙げることができる。
【００４２】
界面活性剤を加えたら、第５の混合物（この時点でインク）を、約１００ＲＰＭ〜約１０００ＲＰＭ、約２００ＲＰＭ〜約８００ＲＰＭ、または約４００ＲＰＭ〜約６００ＲＰＭで混合または攪拌してもよい。第５の混合物（すなわち、インク）を、約５分〜約２時間、約１０分〜約９０分、または約２０分〜約１時間混合または攪拌してもよい。
【００４３】
次いで、１１２に示すように、第５の混合物（すなわち、インク）を、複数の開口部を有するフィルタに通し、所定の大きさより大きな固体粒状物を分離してもよい。開口部は、断面長さ（例えば、直径）が、約０．５０μｍ以下、約０．４０μｍ以下、または約０．３０μｍ以下であってもよい。
【００４４】
ラテックスは、インク中に約０．１重量％〜約１５重量％、約１重量％〜約１０重量％、または約２重量％〜約６重量％存在していてもよい。水は、インク中に約４０重量％〜約９０重量％、約５０重量％〜約８０重量％、または約６０重量％〜約７０重量％存在していてもよい。アミンは、インク中に約０．０重量％〜約２重量％、約０．１重量％〜約１．５重量％、または約０．２重量％〜約１．０重量％存在していてもよい。顔料は、インク中に約０．５重量％〜約８重量％、約１重量％〜約６重量％、または約２重量％〜約４重量％存在していてもよい。溶媒（例えば、４種類以上の溶媒の凝集物の重量％）は、インク中に約１０重量％〜約５０重量％、約１５重量％〜約４０重量％、または約２０重量％〜約３０重量％存在していてもよい。消泡性添加剤は、インク中に約０．０１重量％〜約５重量％、約０．１重量％〜約３重量％、または約０．５重量％〜約２重量％存在していてもよい。界面活性剤は、インク中に約０．００１重量％〜約３重量％、約０．０１重量％〜約２重量％、または約０．１重量％〜約１重量％存在していてもよい。それに加え、インク中の顔料およびラテックスの合計量は、１５重量％未満であってもよく、ラテックスと顔料の比率は、約０．２：１〜約２．０：１、約０．５：１〜約１．５：１、または約０．７：１〜約１．３：１であってもよい。
【００４５】
上に開示した範囲まで設定した溶媒の粘度を下げると、濾過したインク（溶媒セットを含む）は、３２℃での吐出粘度が約１．５ｃＰ〜約１０ｃＰ、約３ｃＰ〜約８ｃＰ、または約５ｃＰ〜約６ｃＰになり得る。インクに使用する溶媒ブレンドの粘度の最適化は、濡れ性能を高めることができる。このことは、粘度の最適化を界面活性剤と合わせ、インクの動的表面張力を調整する場合には、特に当てはまり得る。向上した濡れ性および広がり性の結果として、画像を印刷するために必要なインクの量を少なくすることができる。例えば、約５．０ｎｇ〜約１０ｎｇの質量を有するインク液滴は、半結晶性ポリビニルアルコールポリマーでコーティングされた基材に印刷されたとき、１．１未満のドット真円度を維持しつつ、元々の液滴の直径の約２倍〜約４倍に広がるような構成であってもよい。濾過したインクは、表面張力が約１５ダイン／ｃｍ〜約５０ダイン／ｃｍ、約１５ダイン／ｃｍ〜約４０ダイン／ｃｍ、または約２０ダイン／ｃｍ〜約３０ダイン／ｃｍであってもよい。
【実施例】
【００４６】
以下の実施例１〜３は、図１の方法１００を用いて調製した具体的なインク（およびその特性）を記載する。実施例は、限定することを意図していない。
【００４７】
（実施例１）
図１に示す方法１００によって製造された第１の具体的なインクは、３種類の溶媒（２−ピロリドン、グリセロールおよび１，５ペンタンジオール）を含んでいてもよい。このインクの配合は、以下の表２から理解し得る。
【表２】
2015209547.tif 000006
【００４８】
実施例１のインクをＤＩＭＡＴＩＸ（登録商標）２８００プリンタで吐出し、（１）ＥＰＳＯＮ（登録商標）プレミアム写真用紙および（２）ＨＬＢ値が約１３の非イオン系界面活性剤（例えば、ＴＥＲＧＩＴＯＬ（登録商標）ＴＭＮ−６）と、共溶媒としてグリセロールを含有する部分的に加水分解（８７〜８９％）したポリビニルアルコール（ＣＥＬＶＯＬ（登録商標）２０３）のグリセロール含有水溶液から得られた乾燥コーティング（本明細書でコーティングＡと呼ぶ）でコーティングされた二軸配向ポリプロピレン（Ｂｏｐｐ）紙の２種類の異なる媒体に印刷した。グリセロールの量は、コーティング溶液の約０．５重量％〜５重量％、好ましくは、約２重量％〜５重量％であってもよい。この具体的な実施形態において、グリセロールの量は３重量％であり、界面活性剤の量は０．１重量％であったが、この量は、これらの範囲の外側であってもよい。適切な半結晶性の部分的に加水分解されたポリビニルアルコールとしては、商品名ＣＥＬＶＯＬ（登録商標）、例えば、ＣＥＬＶＯＬ（登録商標）２０３、２０５、５０２、５１３、５２３、５４０および４１８でＳｅｋｉｓｕｉから入手可能なものを挙げることができる。液滴の質量が約７．０〜７．２ｎｇ、液滴の速度が約８ｍ／ｓ、周波数が約５ｋＨｚ、電圧が約１９〜２３Ｖでインクを印刷した。印刷したドットの直径を以下の表３に示し、印刷したドットの真円度を以下の表４に示す。
【表３】
2015209547.tif 000007
【表４】
2015209547.tif 000008
【００４９】
（実施例２）
図１に示す方法によって製造される別の具体的なインクは、ジエチレングリコール、１，５ペンタンジオール、１，３プロパンジオール、グリセロールおよび２−ピロリドンの４種類以上の溶媒を含んでいてもよい。このインクの特性は、以下の表５から理解し得る。
【表５】
2015209547.tif 000009
【００５０】
実施例１のインクと同様に、実施例２のインクをＤＩＭＡＴＩＸ（登録商標）２８００プリンタで吐出し、（１）ＥＰＳＯＮ（登録商標）プレミアム写真用紙および（２）コーティングＡでコーティングされたＢｏｐｐ紙の２種類の異なる媒体に印刷した。液滴の質量が約７．０〜７．２ｎｇ、液滴の速度が約８ｍ／ｓ、周波数が約５ｋＨｚ、電圧が約１９〜２３Ｖでインクを印刷した。印刷したドットの直径を以下の表６に示し、印刷したドットの真円度を以下の表７に示す。直径および真円度は、ＰＩＡＳ  ＩＩを用いて測定した。ＰＩＡＳ  ＩＩは、個人用画像分析システムであり、約５μｍ／ピクセルの高解像度モジュールを用いたデジタルルーペであり、ドットの大きさおよび直径を測定するために、約３．２ｍｍ×２．４ｍｍの視野を有している。
【表６】
2015209547.tif 000010
【表７】
2015209547.tif 000011
【００５１】
（実施例３）
図１に示す方法によって製造されるさらに別の具体的なインクは、ジエチレングリコール、１，５ペンタンジオール、１，３プロパンジオール、グリセロールおよび２−ピロリドンの４種類以上の溶液を含んでいてもよい。このインクの特性は、以下の表８から理解し得る。
【表８】
2015209547.tif 000012
【００５２】
実施例１および２のインクと同様に、実施例３のインクをＤＩＭＡＴＩＸ（登録商標）２８００プリンタで吐出し、（１）ＥＰＳＯＮ（登録商標）プレミアム写真用紙および（２）コーティングＡでコーティングされたＢｏｐｐ紙の２種類の異なる媒体に印刷した。液滴の質量が約７．０〜７．２ｎｇ、液滴の速度が約８ｍ／ｓ、周波数が約５ｋＨｚ、電圧が約１９〜２３Ｖでインクを印刷した。印刷したドットの直径を以下の表９に示し、印刷したドットの真円度を以下の表１０に示す。
【表９】
2015209547.tif 000013
【表１０】
2015209547.tif 000014
【００５３】
以下の実施例４および５は、（例えば、上の工程１０２において）インクに含まれていてもよいラテックスを調製するための具体的な方法を記載する。この実施例は、限定することを意図していない。
【００５４】
（実施例４−乳化重合ラテックスの調製）
１．９９グラムのＤＯＷＦＡＸ（登録商標）２Ａ１（アニオン系アルキルジフェニルオキシドジスルホネート）および２８５．４３グラムの脱イオン水の界面活性剤溶液を、ステンレス保持タンクで１０分間混合することによって調製した。次いで、混合物を反応器に移す前の５分間、保持タンクに窒素をパージした。次いで、反応器を４５０ＲＰＭで攪拌しつつ、窒素を連続的にパージした。次いで、反応器を制御した速度で８０℃まで加熱した。別個に、４．３８グラムの過硫酸アンモニウム開始剤を４５．５４グラムの脱イオン水に溶解した。
【００５５】
別個に、１１．２７グラムのＤＯＷＦＡＸ（登録商標）２Ａ１に１５２．９１グラムの脱イオン水をあらかじめ加えた混合物に、２２９．１３グラムのスチレン、６２．６９グラムのアクリル酸ブチル、４５．３９グラムのメタクリル酸、１０．１２グラムのβＣＥＡ、２．０７グラムの１−ドデカンチオールおよび１．１８グラムの１，１０−デカンジオールジアクリレート（「ＡＤＯＤ」）を加えることによって、モノマーエマルションを調製した。次いで、１％のエマルション（４．３グラム）を、界面活性剤の水相を含有する反応器に８０℃でゆっくりと加え、窒素をパージしつつ「種」を作製した。次いで、開始剤溶液を反応器にゆっくりと投入した。モノマーエマルションを２等分した。モノマーエマルションの第１の等分である２５２．２グラムを、２．０３グラム／分で反応器に最初に供給した。モノマーエマルションの第２の等分である２５９．８グラムを２．４５グラムのジクロロジフェニルトリクロロエタン（「ＤＤＴ」）と混合し、２．８９グラム／分で反応器に加えた。すべてのモノマーエマルションを反応器に投入したら、温度を８０℃にさらに２時間保持して反応を完結させた。次いで、全力での冷却を適用し、反応器の温度を２５℃まで下げた。生成物を保持タンクに集め、２５μｍのふるいを用いてふるい分けした。次いで、粒径をＮＡＮＯＴＲＡＣ（登録商標）Ｕ２２７５Ｅ粒径分析機によって測定し、Ｄ５０が１３１．３ｎｍ、Ｄ９５が１８７．９ｎｍであった。
【００５６】
（実施例５−ラテックスの調製）
３６０グラムのＤＯＷＦＡＸ（登録商標）２Ａ１、１１グラムの界面活性剤および３６０グラムの水を１リットルガラス反応器に加えた。この反応器を窒素パージしつつ８０℃まで加熱した。次いで、３．７グラムの過硫酸アンモニウムおよび３７グラムの水を含有する水溶液をこの反応器に加えた。次いで、モノマー溶液の供給液を約１．７グラム／分の速度でこの反応器に加えた。モノマー溶液は、９５グラムのスチレン、１４９グラムのアクリル酸ｎ−ブチル、８．５グラムのｂ−カルボキシアクリル酸エチルおよび３．７グラムのドデシルチオールを含んでいた。モノマー供給液を反応器に加えたら、ラテックスを２．５時間攪拌し、固体保持量が４３．８％、粒径（Ｄ５０）が４９．３ｎｍのラテックスを得た。乾燥したラテックスのガラス転移温度（「Ｔｇ」）は７５．４℃であり、ラテックスの軟化温度は１０５．８℃であった。
【００５７】
本教示の広い範囲を記載する数値範囲およびパラメータは概算値であるが、具体例に記載する数値範囲は、可能な限り正確に報告している。しかし、いかなる数値範囲も、それぞれの試験測定でみられる標準偏差から必然的に生じる特定の誤差を固有に含む。さらに、本明細書に開示するすべての範囲は、その範囲に包含される任意の部分範囲およびあらゆる部分範囲を包含することが理解されるべきである。例えば、「１０未満」という範囲は、最小値が０であり、最大値が１０である（境界値を含む）任意の部分範囲およびあらゆる部分範囲、すなわち、最小値が０以上であり、最大値が１０以下である任意の部分範囲およびあらゆる部分範囲（例えば、１〜５）を含んでいてもよい。特定の場合には、パラメータとして述べられるような数値は、負の値であってもよい。この場合、「１０未満」であると述べられる値の例は、負の値、例えば、−１、−２、−３、−１０、−２０、−３０などを想定してもよい。
【００５８】
本教示を１つ以上の実施例の観点で示してきたが、添付の特許請求の範囲の精神および範囲から逸脱することなく、示されている実施例に対し、変更および／または改変を行ってもよい。例えば、プロセスが一連の作業または事象として記載されているが、本教示は、このような作業または事象の順序に限定されないことが理解され得る。いくつかの作業は、異なる順序で行ってもよく、および／または本明細書に記載するものとは異なる他の作業または事象と同時に行ってもよい。さらに、すべての処理段階が、本教示の１つ以上の態様または実施形態に従って、ある方法を実施するのに必要ではなくてもよい。構造的な要素および／または処理段階を加えてもよく、または、存在する要素および／または処理段階を省くか、または変えてもよいことが理解され得る。さらに、本明細書に記載する１つ以上の作業を、１つ以上の別個の作業および／または段階で行ってもよい。さらに、「〜を含む（ｉｎｃｌｕｄｉｎｇ）」、「含む（ｉｎｃｌｕｄｅ）」、「〜を有する（ｈａｖｉｎｇ）」、「有する（ｈａｓ）」、「伴う（ｗｉｔｈ）」という用語またはこれらの変形語をいずれかの詳細な記載および特許請求の範囲に使用する程度まで、このような用語は、「〜を含む（ｃｏｍｐｒｉｓｉｎｇ）」という語句と同様の様式で包括的であることを意図している。「少なくとも１種類の」は、列挙した物品の１つ以上が選択されてもよいことを意味するために使用される。さらに、本明細書の記載および特許請求の範囲において、２つの材料に対して使用される「〜の上（ｏｎ）」という用語は、片方が他方の「上」にあることは、これらの材料間が少なくともある程度接触することを意味するが、「〜の上方（ｏｖｅｒ）」という用語は、これらの材料が近くに存在するが、１つ以上のさらなる介在する材料を用いることが可能であり、接触していることが可能であるが、必須ではないことを意味する。「〜の上」も「〜の上方」も、本明細書で使用する場合、任意の方向を暗示しない。「コンフォーマル」という用語は、下にある材料の角度がコンフォーマル材料によって保存されるコーティング材料を記載する。「約」という語句は、変更によって、示されている実施形態に対するプロセスまたは構造と不整合が生じない限り、列挙した値をある程度変えてもよいことを示す。最終的に、「例示的な」または「具体的な」は、理想的であると暗示するのではなく、その記載が実施例として使用されることを示す。本教示の他の実施形態は、本明細書の開示の仕様および実施を考慮して、当業者には明らかだろう。この仕様および実施例は、単なる例示であると考えることを意図しており、本教示の真の範囲および精神は、以下の特許請求の範囲に示される。
【００５９】
本明細書で使用するような相対的な位置の用語は、作業片の配置にかかわらず、作業片の一般的な面または作業表面に対して水平な面に基づいて定義される。「水平」または「側面」という用語は、本明細書で使用する場合、作業片の配置にかかわらず、作業片の一般的な面または作業表面に平行な面であると定義される。「垂直」という用語は、水平に対して鉛直な方向を指す。例えば、「上」、「側面」（「側壁」のような）、「高い方」、「低い方」、「〜の上方」、「上部」および「下」は、作業片の配置にかかわらず、作業片の上表面にある従来の面または作業表面に対して定義される。
【図１】
2015209547.tif 000015